(57)【要約】【課題】本考案は、ピンの逸失といった不具合がなく、確実かつ容易に刃身の抜け出しを防止することができる刃物の鞘を提供することを課題とする。【解決手段】  刃物の鞘の基部５とその両面に設けられた側板と刃身出入口とからなる鞘本体４と、両側板間に回転ピン８によりピン留めされ、刃身を固定するための固定具６と、刃物の鞘の基部の固定具寄の端部に固定具に当接して固定具を止める可撓性の止め板７とを含む刃物の鞘である。固定具６は、回転の支点となる回転ピンが挿入される貫通孔と、固定具の固定時に止め板に当接する第１の面と、第１の面に隣接し、固定具の固定解除時に止め板に当接する第２の面とを備え、貫通孔の中心から第１の面までの距離を、貫通孔の中心から第２の面までの距離よりも短くしたことを特徴とする。【選択図】    図１
0003216383.tif 000002
【実用新案登録請求の範囲】
【請求項１】
刃物の鞘の基部とその両面に設けられた側板と刃身出入口とからなる鞘本体と、両側板間に回転ピンによりピン留めされ、刃身を固定するための固定具と、刃物の鞘の基部の該固定具寄の端部に、該固定具に当接して該固定具を止める可撓性の止め板とを含む刃物の鞘であって、該固定具は、回転の支点となる該回転ピンが挿入される貫通孔と、該固定具の固定時に該止め板に当接する第１の面と、該第１の面に隣接し、該固定具の固定解除時に止め板に当接する第２の面とを備え、該貫通孔の中心から該第１の面までの距離を、該貫通孔の中心から該第２の面までの距離よりも短くしたことを特徴とする刃物の鞘。
【請求項２】
上記固定具は、上記貫通孔、上記第１の面及び上記第２の面を有する回転部と刃物の刃身抜出し防止のための固定部とからなることを特徴とする、請求項１に記載の刃物の鞘。
【請求項３】
上記刃物の鞘、上記固定具及び上記回転ピンは、木製であることを特徴とする、請求項１又は請求項２に記載の刃物の鞘。
【請求項４】
上記可撓性の止め板は、竹製であることを特徴とする、請求項１ないし請求項３のいずれか１項に記載の刃物の鞘。
【請求項５】
上記刃物は、包丁であることを特徴とする、請求項１ないし請求項４のいずれか１項に記載の刃物の鞘。
【考案の詳細な説明】
【技術分野】
【０００１】
本考案は、包丁等の刃物の鞘に関する。
【背景技術】
【０００２】
本考案の基礎となる従来の刃物の鞘として、包丁の鞘を例示して説明する。これまでの包丁の鞘の模式図を図４に示す。
図４に示すように、包丁の刃身２３は、包丁の鞘２４に収納されている。包丁の鞘２４は、基部２５とその両面に設けられた鞘の側板２６と刃身出入口とからなる。そして、鞘の刃身出入口付近の側板２６に刃身抜け落ち防止用孔２７を穿孔し、そこにピンを挿入して包丁等の刃物の抜け落ちを防止するものである。
【０００３】
図５に、従来の包丁の鞘の写真を示す。図５の写真では、刃身抜出し防止用孔に木製のピンが挿入されている。
図６は、従来の包丁の鞘の右側面からの拡大写真である。刃身出入口付近に、木製のピンが、側板の刃身抜出し防止用孔に挿入されているのが分かる。
【０００４】
従来の包丁等の刃物の鞘では、ピンが鞘本体と分離しているため、ピンを逸失してしまい、使用できなくなってしまう難点があった。また、持ち歩いた時にピンが鞄の中で外れることもあった。
ピンに代えて鍵等の止具を採用することも提案されている。
（例えば、特許文献１参照）
これによれば、ピンの逸失といった不具合は解消されるが、刃物を鞘から取り出して使用する際に、鍵の解錠等のために手間がかかるといった難点がある。
【先行技術文献】
【特許文献】
【０００５】
【特許文献１】実開平６−３８８６４号公報
【考案の概要】
【考案が解決しようとする課題】
【０００６】
本考案は、ピンの逸失といった不具合がなく、確実かつ容易に刃身の抜け出しを防止することができる刃物の鞘を提供することを課題とする。
【課題を解決するための手段】
【０００７】
本考案の上記課題を解決するための手段は、次のとおりである。
（１）刃物の鞘の基部とその両面に設けられた側板と刃身出入口とからなる鞘本体と、両側板間に回転ピンによりピン留めされ、刃身を固定するための固定具と、刃物の鞘の基部の固定具寄の端部に、固定具に当接して固定具を止める可撓性の止め板とを含む刃物の鞘であって、固定具は、回転の支点となる回転ピンが挿入される貫通孔と、固定具の固定時に止め板に当接する第１の面と、第１の面に隣接し、固定具の固定解除時に止め板に当接する第２の面とを備え、貫通孔の中心から第１の面までの距離を、貫通孔の中心から第２の面までの距離よりも短くしたことを特徴とする刃物の鞘。
（２）上記固定具は、上記貫通孔、上記第１の面及び上記第２の面を有する回転部と刃物の刃身抜出し防止のための固定部とからなることを特徴とする、上記（１）に記載の刃物の鞘。
（３）上記刃物の鞘、上記固定具及び上記回転ピンは、木製であることを特徴とする、上記（１）又は上記（２）に記載の刃物の鞘。
（４）上記可撓性の止め板は、竹製であることを特徴とする、上記（１）ないし上記（３）のいずれかに記載の刃物の鞘。
（５）上記刃物は、包丁であることを特徴とする、上記（１）ないし上記（４）のいずれかに記載の刃物の鞘。
【考案の効果】
【０００８】
本考案に係る刃物の鞘によれば、次のような効果が得られる。
（１）ワンタッチで確実かつ容易に刃物の収納・取り出しが可能である。
（２）止め板を竹材とすることにより、鞘の全てを木製とすることができる。また、鞘の全てを木製とすることにより、分別することなく廃棄処分が可能である。
【図面の簡単な説明】
【０００９】
【図１】本考案に係る包丁の鞘の固定時の模式図である。
【図２】本考案に係る包丁の鞘の固定解除時の模式図である。
【図３】本考案に係る包丁の鞘の固定具周辺の拡大模式図である。
【図４】従来の包丁の鞘の模式図である。
【図５】従来の包丁の鞘の写真である。
【図６】従来の包丁の鞘の刃身抜出し防止用孔にピンが挿入された状態を示す断面拡大写真である。
【考案を実施するための形態】
【００１０】
包丁の鞘を例示して、本考案に係る刃物の鞘について、以下詳細に説明する。
図１は、本考案に係る包丁の鞘に包丁の刃身３を刃身出入口から収納し、固定具６により固定した状態を示す模式図である。
【００１１】
図２は、包丁の刃身３を刃身出入口から取り出すために、固定具６の固定を解除した状態を示す模式図である。
また、図３は、固定具６周辺の拡大模式図である。
なお、図１ないし図３では、図４ないし図６にあるような包丁の鞘の側板は、外して図示してある。
【００１２】
図１において、１は包丁、２は包丁の柄、３は包丁の刃身である。また、４は、包丁の鞘本体であり、鞘の基部５とその両面に図示を省略した鞘の側板と刃身出入口からなり、包丁の刃身３を内部に収納するものである。
【００１３】
図１において、６は本発明に係る固定具である。
固定具６は、回転ピン８を中心に回転する回転部９と包丁の刃身３が刃身出入口から外に抜け出ないように固定する固定部１０から構成されている。
包丁の刃身３を抜き出す際には、固定部１０を斜め上方に押し上げ、回転部９を回転させることにより、固定具の固定を解除する。
【００１４】
包丁の鞘の素材は特に限定されないが、保持した時の感触からみて木製であることが望ましい。
回転ピン８の素材も特に限定されないが、木製であれば鞘も含めて木製とすることが可能である。木製とすることで、分別することなく廃棄処分が可能となる。
【００１５】
包丁の鞘本体の基部の固定具寄りの端部１２には、固定具に当接して固定具を固定する可撓性の止め板７が、接着剤等により固着されている。止め板は、適度の可撓性を有するものであれば、プラスチック等の素材でよい。また、竹材であってもよい。
【００１６】
図３に、固定具６周辺の拡大模式図を示す。
固定具６の回転部９には、貫通孔１１が穿孔されている。貫通孔１１には、固定具６の回転の支点となる回転ピン８が挿入されている。
【００１７】
さらに、固定具６の回転部９は、固定具の固定時に止め板７に当接する第１の面１３と、第１の面１３に隣接し、固定具の固定解除時に止め板７に当接する第２の面１４とを備えている。回転部９の第２の面は、回転部９の先端にある角部を角取りすることにより得られる。
【００１８】
貫通孔１１の中心から第１の面１３までの距離をａとし、貫通孔１１の中心から第２の面１４までの距離をｂとしたとき、距離ａを距離ｂよりも短くする。これにより、固定部を外側に向けて強く押し出すことにより、可撓性の止め板７が撓み、第２の面１４が安定に止め板７に当接する。図２に示すように、包丁は鞘から取り出すことが可能になる。
【００１９】
包丁を収納する時は、固定部１０を下方に押し下げ、回転部９を回転させることにより、止め板７は第２の面１４を離れて第１の面１３に当接する。
距離ａが距離ｂよりも短いために、軽い力で第２の面１４から第１の面１３への移動が可能となる。
固定時には第１の面１３は、可撓性の止め板７に安定に当接しているため、固定具６の固定は簡単には解除されない。
【００２０】
貫通孔１１、第１の面１３及び第２の面１４の配置は、止め板７の可撓性の特性を勘案し、ワンタッチで確実かつ容易に刃物の収納・取り出しを可能とする本考案の目的に照らして最適となるように選定される。
【００２１】
以上、本考案に係る刃物の鞘について、実施形態として包丁の鞘を例示して、その構造及び使用方法を説明したが、この実施形態は本考案の技術的範囲を限定するものではなく、実用新案登録請求の範囲に記載された本考案の要旨を逸脱しない範囲内で各種の変更や修正を加えることができることは言うまでもないことである。
【符号の説明】
【００２２】
１  包丁
２  包丁の柄
３  包丁の刃身
４  包丁の鞘本体
５  鞘の基部
６  固定具
７  止め板
８  回転ピン
９  回転部
１０  固定部
１１  貫通孔
１２  鞘の基部の固定具寄りの端部
１３  第１の面
１４  第２の面
２１  包丁
２２  包丁の柄
２３  包丁の刃身
２４  包丁の鞘（包丁の鞘本体）
２５  鞘の基部
２６  鞘の側板
２７  刃身抜け落ち防止用孔
【図１】
0003216383.tif 000003
【図２】
0003216383.tif 000004
【図３】
0003216383.tif 000005
【図４】
0003216383.tif 000006
【図５】
0003216383.tif 000007
【図６】
0003216383.tif 000008